(57)【要約】【課題】  再利用が可能であり、しかも物品収容用凹部内に電子部品などの物品を容易且つ安定的に収容することができるようにする。【解決手段】  長さ方向に一定間隔をあけて多数の物品収納用凹部２が形成されたテープ本体３と、テープ本体３の両側縁部または片側縁部３ａに延長状に且つ折り畳み自在に設けられたフラップ４とを有するエンボスキャリアテープ１であって、フラップ４は物品収容用凹部２における開口部の全部または一部を閉止して物品収容用凹部２内に物品Ｐを保持し得る幅となされており、フラップ４がテープ本体３に凹凸嵌合するようになされている。【選択図】  図１
2011006112.tif 000002
【特許請求の範囲】
【請求項１】
長さ方向に一定間隔をあけて多数の物品収納用凹部が形成されたテープ本体と、テープ本体の両側縁部に延長状に且つ折り畳み自在に設けられたフラップとを有し、両フラップは物品収容用凹部における開口部の全部または一部を閉止して物品収容用凹部内に物品を保持し得る幅となされており、両フラップの下面とテープ本体の上面の一方にそれらの長さ方向に所定間隔をあけて嵌合凹部または嵌合凸部が形成され、他方にはこれらに対応する嵌合凸部または嵌合凹部が形成されている、エンボスキャリアテープ。
【請求項２】
嵌合凹部または嵌合凸部が、テープ本体における隣り合う物品収容用凹部間に左右一対で形成されており、両フラップには前記テープ本体に対応する嵌合凸部または嵌合凹部が形成されている、請求項１記載のエンボスキャリアテープ。
【請求項３】
長さ方向に一定間隔をあけて多数の物品収納用凹部が形成されたテープ本体と、テープ本体の片側縁部に延長状に且つ折り畳み自在に設けられたフラップとを有し、フラップは物品収容用凹部における開口部の全部または一部を閉止して物品収容用凹部内に物品を保持し得る幅となされており、フラップの下面とテープ本体の上面の一方にそれらの長さ方向に所定間隔をあけて嵌合凹部または嵌合凸部が形成され、他方にはこれらに対応する嵌合凸部または嵌合凹部が形成されている、エンボスキャリアテープ。
【請求項４】
嵌合凹部または嵌合凸部が、テープ本体における隣り合う物品収容用凹部間に一箇所ずつ形成されており、フラップには前記テープ本体に対応する嵌合凸部または嵌合凹部が形成されている、請求項３記載のエンボスキャリアテープ。
【請求項５】
隣り合う物品収容用凹部間におけるテープ本体およびフラップに、それらの長さ方向と直交する切り離し線が設けられた、請求項１〜請求項４のうちのいずれか一項記載のエンボスキャリアテープ。
【請求項６】
各物品収容用凹部に連続番号が付された、請求項１〜請求項５のうちのいずれか一項記載のエンボスキャリアテープ。
【請求項７】
請求項５に記載のエンボスキャリアテープにおける切り離し線から分離することにより得られる、エンボスキャリアテープ分割体。
【発明の詳細な説明】
【技術分野】
【０００１】
本発明は、電子部品、精密機械部品その他の部品などを多数収容するためのエンボスキャリアテープに関する。
【背景技術】
【０００２】
エンボスキャリアテープは、長さ方向に一定間隔をあけて多数の物品収納用凹部が形成されたテープ本体と、テープ本体の上面側に接着されて、前記物品収納用凹部を閉止するカバーテープとで構成されている。そして、かかるエンボスキャリアテープは、そのテープ本体における各凹部に電子部品等の物品を入れた後、テープ本体の上面にカバーテープを接着剤で接合することにより物品の装填を行うものである。また、物品の装填後においては、当該キャリアテープを所定長ずつリールに巻き取って、該リールごと物品供給場所へ搬送するのである。
【先行技術文献】
【特許文献】
【０００３】
【特許文献１】特開２００３−２６１１７３号公報
【特許文献２】特開２００５−２１２８１０号公報
【特許文献３】特願２００９−１６０９３号
【発明の概要】
【発明が解決しようとする課題】
【０００４】
前述した構造のエンボスキャリアテープの場合、物品の使用場所において、前記リールから順次繰り出された当該テープについて、そのカバーテープを機械的に剥離させて収容用凹部内の物品を順次取り出してゆくのであるが、その取り出し後のテープ本体の上面には前記カバーテープを接合していた接着剤の一部が残存していることから、使用後のテープ本体の収容凹部に再び物品を充填して新たなカバーテープを再度接着剤で接合させようとしても不完全な接合となってしまう。そのため、前記物品取り出し後においては、カバーテープは勿論、テープ本体についてもすべて廃棄していた。
【０００５】
しかし近年、原油価格の上昇に伴ってプラスチック材料価格が高騰する一方、資源の有効利用や地球温暖化防止が一層重要視されているなかで、前記使用後のテープ本体やカバーテープを使い捨てにして大量の産業廃棄物を発生させることは好ましくない。
【０００６】
そこで、本願の出願人は、長さ方向に一定間隔をあけて多数の物品収納用凹部が形成されたテープ本体と、テープ本体の両側縁部または片側縁部に延長状に且つ折り畳み自在に設けられたフラップとを有するエンボスキャリアテープを提案している。このテープによれば、前記カバーテープを用いることなく、前記フラップの開閉によって凹部内への収納物品の出し入れが行えるため、当該テープ自体の再利用が可能となるが、ＩＣチップ等の比較的薄い物品を収納する場合には、物品収容用凹部と前記フラップとの間の隙間に物品の端部が入り込んでしまう場合があった。
【０００７】
本発明の目的は、前述した問題を一挙に解決することができるエンボスキャリアテープを提供することにある。
【課題を解決するための手段】
【０００８】
請求項１記載の本発明は、長さ方向に一定間隔をあけて多数の物品収納用凹部が形成されたテープ本体と、テープ本体の両側縁部に延長状に且つ折り畳み自在に設けられたフラップとを有し、両フラップは物品収容用凹部における開口部の全部または一部を閉止して物品収容用凹部内に物品を保持し得る幅となされており、両フラップの下面とテープ本体の上面の一方にそれらの長さ方向に所定間隔をあけて嵌合凹部または嵌合凸部が形成され、他方にはこれらに対応する嵌合凸部または嵌合凹部が形成されているエンボスキャリアテープである。
【０００９】
請求項２記載の本発明は、前記請求項１記載のエンボスキャリアテープについて、嵌合凹部または嵌合凸部が、テープ本体における隣り合う物品収容用凹部間に左右一対で形成されており、両フラップには前記テープ本体に対応する嵌合凸部または嵌合凹部が形成されていることを特徴とするものである。
【００１０】
請求項３記載の本発明は、長さ方向に一定間隔をあけて多数の物品収納用凹部が形成されたテープ本体と、テープ本体の片側縁部に延長状に且つ折り畳み自在に設けられたフラップとを有し、フラップは物品収容用凹部における開口部の全部または一部を閉止して物品収容用凹部内に物品を保持し得る幅となされており、フラップの下面とテープ本体の上面の一方にそれらの長さ方向に所定間隔をあけて嵌合凹部または嵌合凸部が形成され、他方にはこれらに対応する嵌合凸部または嵌合凹部が形成されているエンボスキャリアテープである。
【００１１】
請求項４記載の本発明は、前記請求項３記載のエンボスキャリアテープについて、嵌合凹部または嵌合凸部が、テープ本体における隣り合う物品収容用凹部間に一箇所ずつ形成されており、フラップには前記テープ本体に対応する嵌合凸部または嵌合凹部が形成されていることを特徴とするものである。
【００１２】
請求項５記載の本発明は、前記請求項１〜請求項４のうちのいずれか一項記載のエンボスキャリアテープについて、隣り合う物品収容用凹部間におけるテープ本体およびフラップにそれらの長さ方向と直交する切り離し線が設けられていることを特徴とするものである。
【００１３】
請求項６記載の本発明は、前記請求項１〜請求項５のうちのいずれか一項記載のエンボスキャリアテープについて、各物品収容用凹部に連続番号が付されたものである。
【００１４】
請求項７記載の本発明は、前記請求項５に記載のエンボスキャリアテープにおける切り離し線から分離することにより得られるエンボスキャリアテープ分割体である。
【００１５】
なお、本発明において、フラップを折り畳み自在とする手段としては、例えばフラップとテープ本体の境界部分に溝を設けることが考えられるが、本発明はこれに限定されず、透孔をミシン目状に設けるなど、別の構成であっても良い。
【発明の効果】
【００１６】
請求項１〜請求項４記載のエンボスキャリアテープによれば、テープ本体の両側縁部または片側縁部に設けられたフラップを物品収容用凹部の開口部へ折り曲げることによって、前記凹部内に物品を保持することができる一方、前記フラップを反対側へ戻すことで凹部の開口部が開放されて凹部内の物品を取り出すことができる。そして、物品の取り出し後において、凹部内に再び新たな物品を収納した後、フラップを再び凹部の開口部へ折り曲げることによって、新たな物品が凹部内に保持されるため、当該テープの再利用が可能となる。そして、更に本発明では、フラップとテープ本体に設けられた嵌合凹部と嵌合凸部とが嵌め合わされることでフラップがテープ本体の上面に固定された状態となるため、テープ本体とフラップとの間に隙間を生ずることがなく、したがって、物品収容用凹部内に入れられた物品がＩＣチップ等の比較的薄い物品であっても、これがフラップとテープ本体との間に進入することがない。また、物品収容用凹部内に入れられた物品は、テープ本体に固定されたフラップによって、安定的に保持された状態となり、当該エンボスキャリアテープを裏返した場合でも収納物品が脱落することはない。そのため、当該エンボスキャリアテープを裏返して収納された物品の検査を行うことも可能となる。
【００１７】
請求項５記載の本発明によれば、当該エンボスキャリアテープを各切り離し線で分離することにより、単品の包装体として使用することが可能となる。
【００１８】
請求項６記載の本発明では、各物品収容用凹部に連続番号が付されているため、当該エンボスキャリアテープに物品を収容する場合や逆に収納した物品を順次取り出す場合において、その番号を見ることで、当該エンボスキャリアテープに収納されている物品数を即座に把握することができるという利点がある。
【００１９】
請求項７記載の本発明によれば、当該エンボスキャリアテープにおける適切な切り離し線を選んで該切り離し線で当該テープを分離することで所定長の短冊状のエンボスキャリアテープ分割体が得られ、これを所定サイズのトレイに並列的に並べることにより、前記トレイに物品が規則的に配列された状態となり、この状態で手作業または機械的に物品を取り上げていくという作業が可能となる。
【００２０】
この他、前述した通り、フラップはテープ本体に完全に固定されてテープ本体の上面位置にあるため、物品収容用凹部内の物品はフラップで確実に押さえられて固定される構造であるため、凹部内での物品の移動が有効に抑制されるため、物品と凹部とのクリアランスを狭くする必要はなく、該クリアランスを広くとることができることから、各凹部への物品の収容が容易且つ効率的に行えるという利点も得られる。
【発明を実施するための形態】
【００２１】
次に、本発明の実施形態を図面にしたがって説明するが、本発明はかかる実施形態に限定されるものではない。
【００２２】
（実施形態１）
【００２３】
図１〜図４に本実施形態を示すが、本実施形態において、上下および左右は、図３を基準とし、上とは図３の上側を指し、下とは同図の下側を指すものとする。また左とは図３における左側を指し、右とは同図の右側を指すものとする。
【００２４】
エンボスキャリアテープ１は、長さ方向に一定間隔をあけて多数の物品収納用凹部２が形成されたテープ本体３と、テープ本体３の右側縁部３ａに延長状に且つ折り畳み自在に設けられたフラップ４とを有し、フラップ４は物品収容用凹部２における開口部２ａの全部を閉止して物品収容用凹部２内に物品Ｐを保持し得る幅となされている。
【００２５】
そして、テープ本体３の上面左側縁部寄り部分における物品収納用凹部２間には嵌合凹部５が形成され、フラップ４の下面には、嵌合凹部５と嵌め合わされる嵌合凸部７が形成されている。
【００２６】
本実施形態では、物品収容用凹部２は平面から見て円形であり、フラップ４はテープ本体３の右側縁部３ａから左側縁部３ｂ寄り部分まで設けられている。
【００２７】
また、図４に示すように、テープ本体３とフラップ４の境界部分（右側縁部３ａ）にはテープ本体３の長さ方向に伸びる小溝１０が形成されており、小溝１０はフラップ４を折り畳み可能とするものである。
【００２８】
なお、図中６は、当該エンボスキャリアテープ１を送るためのピンローラ（図示せず）におけるピン（いずれも図示せず）が嵌まる係合孔を示す。
【００２９】
また、本実施形態では、テープ本体３に嵌合凹部５を形成し、フラップ４に嵌合凸部７を形成したが、テープ本体３に嵌合凸部を形成し、フラップ４に嵌合凹部を形成するようにしても良い。
【００３０】
ただし、本実施形態の場合、フラップ４に嵌合凸部７を形成することでフラップ４を折り畳んだ状態において、図３に示すように、フラップ４の上面から突出するものがないため、当該エンボスキャリアテープ１の送りがスムーズに行えるという利点がある。
【００３１】
（実施形態２）
【００３２】
図５〜図７に示すように、エンボスキャリアテープ３１は、長さ方向に一定間隔をあけて多数の物品収納用凹部３２が形成されたテープ本体３３と、テープ本体３３の両側縁部３３ａに延長状に且つ折り畳み自在に設けられたフラップ３４とを有し、両側のフラップ３４はそれぞれ物品収容用凹部３２における開口部３２ａの両端部分まで伸びて、物品収容用凹部３２内に物品Ｐを保持し得る幅となされている。より詳細には、物品Ｐは薄肉の横長板状であり、物品収容用凹部３２は物品Ｐと対応して平面から見て横長方形となされている。
【００３３】
そして、テープ本体３３の上面における隣り合う物品収容用凹部３２間には左右一対の嵌合凹部３５が形成され、フラップ３４の下面には嵌合凹部３５に対応する嵌合凸部３７が形成されている。
【００３４】
なお、本実施形態においても、前記実施形態１と同様、テープ本体３３に嵌合凹部３５を形成し、フラップ３４に嵌合凸部３７を形成したが、これら嵌合凸部と嵌合凹部の形成を逆にしても良い。
【００３５】
なお、図中３６は、当該エンボスキャリアテープ３１を送るためのピンローラ（図示せず）におけるピン（いずれも図示せず）が嵌まる係合孔を示す。
【００３６】
（実施形態３）
【００３７】
図８および図９に本実施形態を示すが、本実施形態において、上下および左右は、図９を基準とし、上とは図９の上側を指し、下とは同図の下側を指すものとする。また左とは図９における左側を指し、右とは同図の右側を指すものとする。
【００３８】
エンボスキャリアテープ４１は、長さ方向に一定間隔をあけて多数の物品収納用凹部４２が形成されたテープ本体４３と、テープ本体４３の右側縁部４３ａに延長状に且つ折り畳み自在に設けられたフラップ４４とを有し、フラップ４４は物品収容用凹部４２における開口部４２ａの全部を閉止して物品収容用凹部４２内に物品Ｐ３を保持し得る幅となされ、且つフラップ４４には物品収容用凹部４２と反対方向へ突出した物品収容用逆凹部４５が形成されている。
【００３９】
また、テープ本体４３の上面左側縁部寄り部分には、各物品収容用凹部４２と対応する嵌合凹部４６が形成され、フラップ４４の下面には嵌合凹部４６と嵌め合わされる嵌合凸部４７が形成されている。更に、本実施形態では、隣り合う物品収容用凹部４２間におけるテープ本体４３およびフラップ４４に、それらの長さ方向と直交する方向に切り離し線４８が設けられている。
【００４０】
本実施形態のエンボスキャリアテープ４１によれば、前記各実施形態のものと同様、嵌合凹部４６と嵌合凸部４７との嵌め合わせによって、フラップ４４がテープ本体４３に固定されることは勿論、各切り離し線４８において、当該エンボスキャリアテープ４１を分離することにより、図１０に示すように、一個ずつの包装体４０Ａとすることもできるし、或いは図１１に示すように、幾つかおきの切り取り線４８で当該エンボスキャリアテープ４１を分離することで短冊状の包装体４０Ｂとすることもできる。
【００４１】
（実施形態４）
【００４２】
図１２に示すように、本実施形態は、前記実施形態１に係るエンボスキャリアテープ１におけるすべての物品収容用凹部２に「１」から始まる連続番号５７を付したものである。連続番号５７は、当該エンボスキャリアテープ１に物品を装填したり、或いは装填した物品を取り出す場合の物品数の管理が目視により行えるようにするためのものである。
【００４３】
すなわち、当該エンボスキャリアテープ１への物品の装填や取り出しの途中において、連続番号５７を見れば、物品の装填個数や取り出し済み個数を即座に把握することができるのである。
【産業上の利用可能性】
【００４４】
本発明に係るエンボスキャリアテープは、再利用が可能である上、物品を保持するフラップがテープ本体に固定される構造であるため、物品がより安定的にテープ本体内に収容されることから、幅広い利用が期待できる。
【図面の簡単な説明】
【００４５】
【図１】実施形態１に係るエンボスキャリアテープの斜視図である。
【図２】同実施形態に係るエンボスキャリアテープの平面図である。
【図３】同実施形態に係るエンボスキャリアテープの横断面図である。
【図４】同実施形態におけるフラップの折り曲げ構造を示す部分拡大横断面である。
【図５】実施形態２に係るエンボスキャリアテープの斜視図である。
【図６】同実施形態に係るエンボスキャリアテープの平面図である。
【図７】同実施形態に係るエンボスキャリアテープの横断面図である。
【図８】実施形態３に係るエンボスキャリアテープの斜視図である。
【図９】同実施形態に係るエンボスキャリアテープの横断面図である。
【図１０】同実施形態に係るエンボスキャリアテープの一つの分割体を示す斜視図である。
【図１１】同実施形態に係るエンボスキャリアテープの二連の分割体を示す斜視図である。
【図１２】実施形態５に係るエンボスキャリアテープの平面図である。
【符号の説明】
【００４６】
１  エンボスキャリアテープ
２  物品収容用凹部
３  テープ本体
４  フラップ
５  嵌合凹部
７  嵌合凸部
【図１】
2011006112.tif 000003
【図２】
2011006112.tif 000004
【図３】
2011006112.tif 000005
【図４】
2011006112.tif 000006
【図５】
2011006112.tif 000007
【図６】
2011006112.tif 000008
【図７】
2011006112.tif 000009
【図８】
2011006112.tif 000010
【図９】
2011006112.tif 000011
【図１０】
2011006112.tif 000012
【図１１】
2011006112.tif 000013
【図１２】
2011006112.tif 000014